(57)【特許請求の範囲】
【請求項１】
カード発行データに基づきカードを発行するカード発行装置であって、
カードに対する発行動作を行う発行動作部と、
前記発行動作部に対する電源供給のオン及びオフの切替操作を受け付けるスイッチ部と、
前記スイッチ部の操作に関わらず電力供給がされ、装置の状態の変化を検出可能な検出部と、
前記装置の状態の変化を記憶する状態記憶部と、
前記スイッチ部の操作に関わらず電力供給がされ、前記発行動作部に対する電力供給がオフ状態において前記検出部から受け付けた検出情報を、前記状態記憶部に記憶させる制御部と、
を備えるカード発行装置。
【請求項２】
請求項１に記載のカード発行装置において、
前記制御部は、前記スイッチ部がオフ状態からオン状態への切替操作を受け付けたことに応じて、前記状態記憶部に記憶された検出情報を、このカード発行装置を制御する制御端末に送出すること、
を特徴とするカード発行装置。
【請求項３】
請求項１又は請求項２に記載のカード発行装置において、
前記制御部は、受け付けた前記検出情報を、履歴として状態記憶部に記憶させること、
を特徴とするカード発行装置。
【請求項４】
請求項１から請求項３までのいずれかに記載のカード発行装置において、
前記検出部は、前記発行動作部を外部から遮るカバーの開閉を検出すること、
を特徴とするカード発行装置。
【請求項５】
請求項１から請求項４までのいずれかに記載のカード発行装置において、
前記検出部は、このカード発行装置の内部におけるカードの移動を検出すること、
を特徴とするカード発行装置。
【請求項６】
請求項１から請求項５までのいずれかに記載のカード発行装置において、
複数の前記検出部を備え、
前記状態記憶部は、各検出部に対応した領域を有していること、
を特徴とするカード発行装置。
【請求項７】
請求項１から請求項６までのいずれかに記載のカード発行装置において、
このカード発行装置を制御する制御端末から前記状態記憶部に対するアクセスを受け付ける外部受付部を有すること、
を特徴とするカード発行装置。
【請求項８】
請求項１から請求項７までのいずれかに記載のカード発行装置と、
前記カード発行装置に対して通信可能に接続された制御端末と、
を備えるカード発行システム。
【請求項９】
請求項８に記載のカード発行システムにおいて、
前記カード発行装置は、タイマ部を備え、
前記カード発行装置の前記制御部は、前記スイッチ部がオフの操作を受け付けたことに応じて前記タイマ部を作動させ、前記スイッチ部がオフ状態になってからの経過時間又は履歴情報の取得順序と、前記検出部から受け付けた検出情報とを対応付けて前記状態記憶部に記憶させ、
前記制御端末は、
日時取得部と、
端末制御部と、
を備え、
前記制御端末の端末制御部は、
前記カード発行装置の前記スイッチ部がオフ状態にされたことに応じて、日時取得部が取得した切断日時情報を記憶し、
前記カード発行装置から受信した前記検出情報に対応付けられた前記経過時間を、前記切断日時情報に基づいて絶対時刻に換算すること、
を特徴とするカード発行システム。
【発明の詳細な説明】
【技術分野】
【０００１】
本発明は、カード発行装置及びカード発行システムに関する。
【背景技術】
【０００２】
従来、金融機関の店舗や、ショッピングセンター等に設置され、カードを即時発行するカード発行装置がある（例えば、特許文献１）。
【先行技術文献】
【特許文献】
【０００３】
【特許文献１】特開２０１３−１６０６８号公報
【特許文献２】特開２０１２−１９０３７５号公報
【発明の概要】
【発明が解決しようとする課題】
【０００４】
ところで、カード発行装置に係る操作においては、作業者は、電源スイッチをオフにした後に、カードの補充やインク交換を行う。そのため、これらの作業者が行った操作は、ログ等に記録されず、後から追跡を行うことができなかった。
他方、例えば、電力供給がされていないときにも、バッテリ電源によって電力供給をする装置がある（例えば、特許文献２）。しかし、このような方法を、カード発行装置に適用すると、コストがかかってしまう。
【０００５】
本発明は、電源スイッチがオフ状態の間に作業者によって行われた操作の確認を、安価に実現可能なカード発行装置及びカード発行システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、カード発行データに基づきカードを発行するカード発行装置（１）であって、カード（５）に対する発行動作を行う発行動作部（４０）と、前記発行動作部に対する電源供給のオン及びオフの切替操作を受け付けるスイッチ部（６０）と、前記スイッチ部の操作に関わらず電力供給がされ、装置の状態の変化を検出可能な検出部（３０）と、前記装置の状態の変化を記憶する状態記憶部（２１）と、前記スイッチ部の操作に関わらず電力供給がされ、前記発行動作部に対する電力供給がオフ状態において前記検出部から受け付けた検出情報を、前記状態記憶部に記憶させる制御部（１０）と、を備えるカード発行装置である。
第２の発明は、第１の発明のカード発行装置（１）において、前記制御部（１０）は、前記スイッチ部（６０）がオフ状態からオン状態への切替操作を受け付けたことに応じて、前記状態記憶部（２１）に記憶された検出情報を、このカード発行装置を制御する制御端末（８）に送出すること、を特徴とするカード発行装置である。
第３の発明は、第１の発明又は第２の発明のカード発行装置（１）において、前記制御部（１０）は、受け付けた前記検出情報を、履歴として状態記憶部（２１）に記憶させること、を特徴とするカード発行装置である。
第４の発明は、第１の発明から第３の発明までのいずれかのカード発行装置（１）において、前記検出部（３０）は、前記発行動作部（４０）を外部から遮るカバーの開閉を検出すること、を特徴とするカード発行装置である。
第５の発明は、第１の発明から第４の発明までのいずれかのカード発行装置（１）において、前記検出部（３０）は、このカード発行装置の内部におけるカード（５）の移動を検出すること、を特徴とするカード発行装置である。
第６の発明は、第１の発明から第５の発明までのいずれかのカード発行装置（１）において、複数の前記検出部（３０）を備え、前記状態記憶部（２１）は、各検出部に対応した領域を有していること、を特徴とするカード発行装置である。
第７の発明は、第１の発明から第６の発明までのいずれかのカード発行装置（１）において、このカード発行装置を制御する制御端末（８）から前記状態記憶部（２１）に対するアクセスを受け付ける外部受付部（５０）を有すること、を特徴とするカード発行装置である。
第８の発明は、第１の発明から第７の発明までのいずれかのカード発行装置（１）と、前記カード発行装置に対して通信可能に接続された制御端末（８）と、を備えるカード発行システム（１００）である。
第９の発明は、第８の発明のカード発行システム（１００）において、前記カード発行装置（１）は、タイマ部（１５）を備え、前記カード発行装置の前記制御部（１０）は、前記スイッチ部（６０）がオフの操作を受け付けたことに応じて前記タイマ部を作動させ、前記スイッチ部がオフ状態になってからの経過時間又は履歴情報の取得順序と、前記検出部（３０）から受け付けた検出情報とを対応付けて前記状態記憶部（２１）に記憶させ、前記制御端末（８）は、日時取得部（８５）と、端末制御部（８０）と、を備え、前記制御端末の端末制御部は、前記カード発行装置の前記スイッチ部がオフ状態にされたことに応じて、日時取得部が取得した切断日時情報を記憶し、前記カード発行装置から受信した前記検出情報に対応付けられた前記経過時間を、前記切断日時情報に基づいて絶対時刻に換算すること、を特徴とするカード発行システムである。
【発明の効果】
【０００８】
本発明によれば、電源スイッチがオフ状態の間に作業者によって行われた操作の確認を、安価に実現可能なカード発行装置及びカード発行システムを提供することができる。
【図面の簡単な説明】
【０００９】
【図１】本実施形態に係るカード発行システムの全体構成図である。
【図２】本実施形態に係るカード発行装置の各ユニットを説明するための図である。
【図３】本実施形態に係るカード発行装置のセンサメモリ部の構成を示す図である。
【図４】本実施形態に係るカード発行装置でのセンサ処理を示すフローチャートである。
【図５】本実施形態に係るセンサメモリ部の例を示す図である。
【図６】本実施形態に係るカード発行装置での外部受付処理を示すフローチャートである。
【発明を実施するための形態】
【００１０】
以下、本発明を実施するための形態について、図を参照しながら説明する。なお、これは、あくまでも一例であって、本発明の技術的範囲はこれに限られるものではない。
（実施形態）
図１は、本実施形態に係るカード発行システム１００の全体構成図である。
図２は、本実施形態に係るカード発行装置１の各ユニットを説明するための図である。
図１に示すカード発行システム１００は、店舗内において、キャッシュカード等のカードの即時発行が可能なシステムである。以下、銀行でのカードの即時発行に関するものとして説明する。
カード発行システム１００は、カード発行装置１と、制御端末８と、カード発行サーバ９とを備える。カード発行装置１と、制御端末８とは、銀行（サービス提供者）の各店舗内に設置され、従業者（以下、「オペレータ」ともいう。）が操作をする。また、カード発行サーバ９は、カード発行システム１００を運営するシステム管理会社の施設に設置される。つまり、銀行は、システム管理会社への依頼者である。カード発行サーバ９は、図示しない銀行サーバと接続されている。
【００１１】
カード発行装置１と、制御端末８とは、通信ネットワークＮ１を介して接続され、制御端末８と、カード発行サーバ９とは、通信ネットワークＮ２を介して接続されている。カード発行サーバ９は、各店舗に設置された制御端末８に対して接続される。通信ネットワークＮ１は、例えば、ＬＡＮ（Ｌｏｃａｌ  Ａｒｅａ  Ｎｅｔｗｏｒｋ）であってもよいし、カード発行装置１と、制御端末８とを直接つなぐ専用線であってもよい。通信ネットワークＮ２は、例えば、ＶＰＮ（Ｖｉｒｔｕａｌ  Ｐｒｉｖａｔｅ  Ｎｅｔｗｏｒｋ）であってもよいし、専用線であってもよい。
【００１２】
カード発行システム１００でのカードの発行は、以下のような手順により行われる。まず、各店舗において、オペレータは、図示しない店舗内の銀行業務端末から、来店した顧客のキャッシュカードを発行するための操作を行う。そうすることで、店舗内の銀行業務端末から銀行サーバ（図示せず）に、操作に応じたデータが送信される。その後、カード発行サーバ９には、銀行サーバからカード発行に必要な顧客情報等のデータが送信される。カード発行サーバ９は、カード発行データを生成する。そして、カード発行サーバ９は、生成したカード発行データを、制御端末８に送信する。制御端末８は、受信したカード発行データに基づく各データを、カード発行装置１に対して送信する。カード発行装置１は、各データに基づいてカード発行処理を行い、顧客のキャッシュカードを発行する。
【００１３】
次に、カード発行システム１００の各装置の構成について説明する。
カード発行装置１は、生カードからＡＴＭ（Ａｕｔｏｍａｔｅｄ  Ｔｅｌｌｅｒ  Ｍａｃｈｉｎｅ）等で使用可能なカード（以下、発行処理済カードともいう。）の発行処理を行う装置である。
ここで、生カードは、発行処理前の状態のカードである。生カードの券面には、銀行名等が印刷されている。しかし、生カードには、氏名や口座番号等の印刷がされていない。また、磁気ストライプやＩＣ（Ｉｎｔｅｇｒａｔｅｄ  Ｃｉｒｃｕｉｔ）チップには、情報が入っていない。
図１に示すように、カード発行装置１は、制御部１０と、タイマ部１５と、記憶部２０と、検出部３０と、発行動作部４０と、通信部５０（外部受付部）と、電源スイッチ６０（スイッチ部）と、主電源プラグ７０と、ＡＣＤＣコンバータ７２とを備える。
【００１４】
制御部１０は、カード発行装置１の全体を制御するＣＰＵ（中央処理装置）である。制御部１０は、記憶部２０に記憶されているＯＳ（オペレーティングシステム）やアプリケーションプログラムを適宜読み出して実行することにより、上述したハードウェアと協働し、各種機能を実行する。
タイマ部１５は、時計の機能を備えていないため、日時を計測できないが、経過時間を計測可能なものである。タイマ部１５は、例えば、電力供給がされなくなってからの経過時間を計測できる。タイマ部１５は、定期的にクロック信号を出力する。
記憶部２０は、制御部１０が各種の処理を実行するために必要なプログラム、データ等を記憶するためのハードディスク、半導体メモリ素子等の記憶領域である。プログラムを記憶する記憶領域を、以降、プログラム領域という。
記憶部２０は、センサメモリ部２１（状態記憶部）を備える。センサメモリ部２１は、検出部３０の状態を示す状態情報（検出情報）を記憶する。センサメモリ部２１の詳細については、後述する。
【００１５】
検出部３０は、例えば、光学センサである。検出部３０は、センサ３１〜３３を有する。
センサ３１は、後述する各ユニットのカバーの開閉位置に設けられる。センサ３１は、各ユニットのカバーの開閉を検出する。
センサ３２は、カード発行装置１の本体カバーの開閉位置に設けられる。センサ３２は、本体カバーの開閉を検出する。
センサ３３は、各ユニットの側面側に設けられる。センサ３３は、カード搬送装置の方向を向いており、カード搬送装置を移動するカード等の物体を検出する。
【００１６】
発行動作部４０は、カード発行の動作を行う各ユニットと、カード搬送装置とから構成される。発行動作部４０は、制御部１０からの信号を受けて、各ユニットとカード搬送装置とを使用してカード発行処理をする。
発行動作部４０は、カードストック部４１と、リーダライタ部４２と、プリンタ部４３と、ラベラ部４４と、カード回収部４５と、カード搬送部４８とを備える。
カードストック部４１は、生カードをストック（貯留）するユニットである。カードストック部４１は、図２に示すように、複数用意されている。各カードストック部４１は、異なる券種をストックする。券種とは、例えば、普通預金口座用のキャッシュカード、貯蓄預金口座用のキャッシュカード、クレジットカード機能付きのキャッシュカード等、カードの用途に応じた種類をいう。生カードに予め印刷されたデザインや、生カードに有する機能は、券種ごとに異なるものである。そのため、オペレータは、生カードを、券種ごとに異なるカードストック部４１に充填する。
【００１７】
リーダライタ部４２は、カードストック部４１から搬出されたカード５の磁気ストライプやＩＣチップに対してエンコード処理を行って、カード発行データを記録させるためのユニットである。
プリンタ部４３は、カード５の券面に氏名等の印刷を行うためのユニットである。プリンタ部４３は、インクリボンを用いる熱転写方式のプリンタである。インクリボンを使い切った場合には、オペレータは、プリンタ部４３のカバーを開けて、インクリボンの交換を行う。
ラベラ部４４は、ラベルを貼付するためのユニットである。ラベルは、例えば、プリンタ部４３によって機密情報が印刷された部分に重ねて貼付され、カードが顧客に渡されるまで、機密情報を隠すために用いる。カード発行処理時に、プリンタ部４３は、例えば、インターネットバンキングで使用するユーザのＩＤ（ＩＤｅｎｔｉｆｉｅｒ）を印刷する場合がある。その場合には、プリンタ部４３による印刷後に、該当部分を覆い隠すようにカード５の券面上にラベルを貼付することで、ＩＤをオペレータに見せないようにできる。
【００１８】
カード回収部４５は、カード発行処理によって不良カードが製造された場合に、そのカードを回収してストックするためのユニットである。不良カードとは、例えば、リーダライタ部４２で処理不良のカードや、プリンタ部４３による印刷不良等、外観不良のカードをいう。
カード搬送部４８は、制御部１０からの信号に基づき、発行処理中のカード５を、図２に示す左右方向Ｘに移動させ、各ユニット間を移動させるための装置である。
【００１９】
カードストック部４１と、リーダライタ部４２と、プリンタ部４３と、ラベラ部４４と、カード回収部４５とには、各々カバーが設けられている。例えば、カードストック部４１に生カードを補充したり、プリンタ部４３のインクリボンを交換したりする場合には、オペレータは、本体カバーを開いた後に、該当のユニットのカバーを開けて作業をする必要がある。つまり、本体カバーは、各ユニットを外部から遮る役割をするものである。また、各ユニットのカバーは、ユニット内の各種装置を外部から遮る役割をするものである。センサ３１（３１ａ〜３１ｉ）は、カバーの開閉を検出する。
また、カードストック部４１と、リーダライタ部４２と、プリンタ部４３と、ラベラ部４４と、カード回収部４５とには、各々カード搬送部４８の方向にセンサ３３（３３ａ〜３３ｉ）を備える。センサ３３は、カード搬送部４８において搬送される発行処理中のカード５の通過を検出する。
【００２０】
また、カード発行装置１は、図示しない本体カバーを有し、オペレータが本体カバーを開けることで、図２に示すような各ユニットが設置された内部状態を見ることができる。センサ３２は、カード発行装置１の本体カバーの開閉を検出する。また、排出口４９は、カード発行処理が行われた発行処理済カードを排出する。
図１に戻り、通信部５０は、制御端末８との間で通信を行うための通信インタフェースである。
【００２１】
電源スイッチ６０は、カード発行装置１の本体の側面等に設けられる。電源スイッチ６０は、発行動作部４０及び通信部５０に対して電力供給を行うか否かを制御する。電源スイッチ６０をオン状態にすることで、主電源プラグ７０からの電力が、発行動作部４０及び通信部５０に対して供給される。また、電源スイッチ６０をオフ状態にすることで、主電源プラグ７０からの電力が、発行動作部４０及び通信部５０に対して供給されなくなる。
主電源プラグ７０は、コンセント（図示せず）に差し込むことで、１００Ｖの交流電流を入力可能である。
【００２２】
ＡＣＤＣコンバータ７２は、主電源プラグ７０から受け入れた交流（ＡＣ）電流を、直流（ＤＣ）電流に変換するコンバータである。
制御部１０と、タイマ部１５と、記憶部２０と、検出部３０とは、ＡＣＤＣコンバータ７２から直接電力供給がされる。そのため、制御部１０と、タイマ部１５と、記憶部２０と、検出部３０とは、電源スイッチ６０の状態に関わらず常に電力供給がされる。制御部１０と、タイマ部１５と、記憶部２０と、検出部３０とは、制御系の信号のみを扱うものであるので、高い電圧を必要としない。ＡＣＤＣコンバータ７２は、例えば、５Ｖの電圧を電力供給する。
【００２３】
発行動作部４０と、通信部５０とは、ＡＣＤＣコンバータ７２から電源スイッチ６０を介して電力供給がされる。そのため、発行動作部４０と、通信部５０とは、電源スイッチ６０がオン状態の場合にのみ電力供給がされる。よって、電源スイッチ６０がオフ状態のときは、通信部５０に対して電力を供給しないため、カード発行装置１は、制御端末８との間での通信を行うことができない。発行動作部４０は、各種モータ（図示せず）等を駆動させるためのものであるので、高い電圧を必要とする。ＡＣＤＣコンバータ７２は、例えば、２４Ｖの電圧を電力供給する。
【００２４】
制御端末８は、カード発行装置１を制御する端末である。制御端末８は、例えば、パーソナルコンピュータである。
制御端末８は、制御部８０（端末制御部）と、記憶部８２と、表示部８３と、操作部８４と、日時取得部８５と、通信部８９とを備える。
制御部８０は、制御端末８の全体を制御するＣＰＵである。制御部８０は、記憶部８２に記憶されているＯＳやアプリケーションプログラムを適宜読み出して実行することにより、上述したハードウェアと協働し、各種機能を実行する。
記憶部８２は、制御部８０が各種の処理を実行するために必要なプログラム、データ等を記憶するためのハードディスク、半導体メモリ素子等の記憶領域である。
【００２５】
表示部８３は、例えば、液晶パネル等で構成される表示装置である。
操作部８４は、例えば、キーボード、マウス等の入力装置である。操作部８４は、オペレータが操作する装置である。
日時取得部８５は、現在日時を取得する装置である。
通信部８９は、カード発行装置１及びカード発行サーバ９の間で通信を行うための通信インタフェースである。
カード発行サーバ９は、カード発行データを生成するサーバである。
【００２６】
次に、センサメモリ部２１の構成について説明する。
図３は、本実施形態に係るカード発行装置１のセンサメモリ部２１の構成を示す図である。
センサメモリ部２１は、例えば、２バイトのメモリから構成される。センサメモリ部２１の各ビット（領域）は、上述した１５の検出部３０（センサ３１〜３３）に対応している。センサ３２と、センサ３１（３１ａ〜３１ｉ）との各領域は、各々のカバーの開閉を表す。「０」は、カバーが閉じている場合を表し、「１」は、カバーが開いている場合を表す。また、センサ３３（３３ａ〜３３ｉ）の各領域は、カード５等の物体の検知の有無を表す。「０」は、物体を検知していない場合を表し、「１」は、物体を検知した場合を表す。図３では、センサ３３ａ〜３３ｅの５つのセンサの検知を１ビット（１つの領域）で表すようにしている。センサ３３ａ〜３３ｅのうちいずれか１つでも検知をした場合には、「１」になり、いずれも検知をしていない場合には、「０」である。
【００２７】
なお、上述の例では、メモリ領域の関係からセンサ３３ａ〜３３ｅの５つのセンサの検知をまとめているが、各々１ビットを用意しても、もちろんよい。また、上述の例では、２バイトのメモリのうち最後の１ビットは、未使用である。
さらに、センサメモリ部２１を１バイトにしたい場合には、センサメモリ部２１への書き込み対象にする検出部３０を複数の検出部３０から選択してもよいし、上述の例のように、複数の検出部３０の検知を１ビットで表すようにしてもよい。
【００２８】
次に、センサメモリ部２１への書き込みを行うセンサ処理について説明する。
図４は、本実施形態に係るカード発行装置１でのセンサ処理を示すフローチャートである。
本処理の前提として、カード発行装置１は、主電源プラグ７０がコンセントに差し込まれて交流電流を受電している状態である。そして、電源スイッチ６０がオフ（ＯＦＦ）状態になったことを契機として、本処理を開始する。
ステップＳ（以下、「Ｓ」という。）１０において、制御部１０は、各センサ３１〜３３の出力に基づいて検出部３０の状態情報を取得し、制御端末８と通信が可能ではなくなってからの経過時間に対応付けてセンサメモリ部２１に記憶させる。ここで、状態情報とは、検出部３０の状態を表す情報をいい、例えば、検出部３０の発光部からの光を受光部が受光できたか否かを示す情報である。このＳ１０の処理は、電源スイッチ６０がオフ（ＯＦＦ）状態のため、通信部５０に対して電力供給が行えず、結果として、制御端末８と通信ができない場合の処理である。
このように、制御部１０は、制御端末８と通信が可能ではなくなってから（電源スイッチ６０がオフ状態になってから）の経過時間ごとの検出部３０の状態情報を、センサメモリ部２１に記憶させることができるので、センサメモリ部２１は、検出部３０の状態情報を、履歴として記憶できる。
【００２９】
Ｓ１１において、制御部１０は、電源スイッチがオン（ＯＮ）状態になったか否かを判断する。電源スイッチがオン（ＯＮ）状態になったか否かは、タイマ部１５が定期的に出力するクロック信号に基づいて行う。電源スイッチがオン（ＯＮ）状態になった場合（Ｓ１１：ＹＥＳ）には、制御部１０は、処理をＳ１２に移す。他方、電源スイッチがオン（ＯＮ）状態になっていない場合（Ｓ１１：ＮＯ）には、制御部１０は、処理をＳ１０に移す。
Ｓ１２において、制御部１０は、カード発行装置のハードウェア及びソフトウェア等の初期化処理を行う。
Ｓ１３において、制御部１０は、センサメモリ部２１に記憶された履歴情報を、制御端末８に送信する。なお、制御部１０は、履歴情報を制御端末８が受信したことに応じて、履歴情報を削除してもよい。その後、制御部１０は、本処理を終了する。
【００３０】
Ｓ１３の処理により、制御端末８の制御部８０は、カード発行装置１から履歴情報を受信する。履歴情報には、カード発行装置１で制御部１０が制御端末８と通信が可能ではなくなってからの経過時間と、そのときのセンサメモリ部２１の状態情報とが対応付けられている。また、制御端末８の制御部８０は、カード発行装置１の電源スイッチ６０がオフ状態になることで制御部１０が制御端末８と通信が可能ではなくなったことを、カード発行装置１との間の通信が切断されたことで把握できる。そのため、制御端末８の制御部８０は、カード発行装置１の電源スイッチ６０がオフ状態になった日時情報（切断日時情報）を記憶部８２に記憶させている。
そして、制御端末８の制御部８０は、制御端末８の記憶部８２に記憶されたカード発行装置１の電源スイッチ６０がオフ状態になった日時情報と、履歴情報とから、状態に変化が生じた検出部３０に対応する装置と、その日時（絶対時刻）とを換算できる。
【００３１】
なお、電源スイッチ６０がオン状態（ＯＮ）のときは、制御部１０は、制御端末８から状態確認依頼データを受信した場合に、各センサ３１〜３３の出力に基づいて検出部３０の状態情報を取得し、制御端末８に対して送信する。その際、制御部１０は、検出部３０の状態情報を取得した後に、取得した状態情報を一時的に保存可能な一時記憶部に格納する。そして、制御部１０は、一時記憶部に格納された状態情報を、制御端末８に送信する。制御部１０は、状態情報を一時記憶部に格納して送信することにより、処理を早く行うことができる。
ここで、状態確認依頼データは、制御端末８がカード発行装置１に対して所定のタイミング（例えば、１０秒おき）で送信するデータである。このデータにより、カード発行装置１は、検出部３０の状態確認を行う。
【００３２】
このように、カード発行装置１は、電源スイッチ６０がオン状態の場合には、所定のタイミングによって定期的に検出部３０の状態情報を制御端末８に送信する。よって、制御端末８では、検出部３０の状態を、定期的に取得した状態情報によって把握することができる。
【００３３】
次に、センサ処理によるセンサメモリ部２１の遷移の具体例を説明する。
図５は、本実施形態に係るセンサメモリ部２１の例を示す図である。
図５（Ａ）は、電源スイッチ６０がオン状態からオフ状態に変化した際のセンサメモリ部２１の例を示す。例えば、銀行業務の終了時刻にオペレータが電源スイッチ６０をオン状態からオフ状態にすることで、制御部１０は、検出部３０の状態情報を取得し、センサメモリ部２１に記憶させる。図５（Ａ）は、センサメモリ部２１が、検出部３０のセンサ３１，３２に対応するカバーが閉じられており、センサ３３が物体を検出していない状態であることを示す。
【００３４】
しばらくして、オペレータがカード発行装置１の本体カバーを開け、その後に、制御部１０は、検出部３０の状態情報を取得してセンサメモリ部２１に記憶させる（図４のＳ２０）。図５（Ｂ）は、その際にセンサメモリ部２１に記憶された状態情報を示す。カード発行装置１の本体カバーが開いた状態であるので、センサメモリ部２１のカード発行装置１の本体カバーに対応したセンサ３２の位置が、「０」から「１」に変更されている（＃１）。
【００３５】
その後、オペレータがプリンタ部４３のカバーを開け、その後に、制御部１０は、検出部３０の状態情報を取得してセンサメモリ部２１に記憶させる。カード発行装置１の本体カバーが開いた状態であるので、図５（Ｃ）に示すように、センサメモリ部２１のカード発行装置１の本体カバーに対応したセンサ３２が「１」のままである。また、プリンタ部４３のカバーが開いた状態であるので、センサメモリ部２１のプリンタ部４３のカバーに対応したセンサ３１ｆが「０」から「１」に変更されている（＃２）。
【００３６】
オペレータは、プリンタ部４３のインクリボンを交換した後、プリンタ部４３のカバーを閉じ、その後に、制御部１０は、検出部３０の状態情報を取得してセンサメモリ部２１に記憶させる。プリンタ部４３のカバーが閉じた状態になったので、図５（Ｄ）に示すように、センサメモリ部２１のプリンタ部４３のカバーに対応したセンサ３１ｆが「１」から「０」に変更されている（＃３）。
【００３７】
そして、オペレータがカード発行装置１の本体カバーを閉じ、その後に、制御部１０は、検出部３０の状態情報を取得してセンサメモリ部２１に記憶させる。カード発行装置１の本体カバーが閉じた状態になったので、図５（Ｅ）に示すように、センサメモリ部２１のカード発行装置１の本体カバーに対応したセンサ３２が「１」から「０」に変更されている（＃４）。
【００３８】
このように、制御部１０は、タイマ部１５が定期的に出力するクロック信号に基づいて検出部３０から状態情報を取得し、取得した状態情報を、時間情報に対応付けてセンサメモリ部２１に記憶する。よって、制御端末８と通信が可能ではなくなってからの経過時間、つまり、電源スイッチ６０がオン状態からオフ状態に変わった後からの経過時間と、検出部３０の状態情報とを対応付けて記憶することができる。そして、制御端末８では、履歴を見ることで、カバーの開閉を時間と共に追跡することができる。
なお、制御部１０は、図５に示したように、取得した状態情報のうち、変化があったものを履歴として記憶するようにしてもよい。そのようにすることで、履歴情報として記憶させるデータ容量を、最小限に抑えることができる。
【００３９】
次に、カード発行装置１が制御端末８からのアクセスを受け付けた場合についての処理について説明する。
図６は、本実施形態に係るカード発行装置１での外部受付処理を示すフローチャートである。
Ｓ３０において、制御部１０は、アクセス情報がセンサメモリ部２１に対する読取であるか否かを判断する。センサメモリ部２１に対する読取である場合（Ｓ３０：ＹＥＳ）には、制御部１０は、処理をＳ３１に移す。他方、センサメモリ部２１に対する読取ではない場合（Ｓ３０：ＮＯ）には、制御部１０は、処理をＳ３２に移す。
Ｓ３１において、制御部１０は、制御端末８からのセンサメモリ部２１の読取を許可する。そうすることで、制御端末８は、カード発行装置１のセンサメモリ部２１に対して直接アクセスして、センサメモリ部２１を読み取ることができる。その後、制御部１０は、本処理を終了する。
【００４０】
Ｓ３２において、制御部１０は、アクセス情報がセンサメモリ部２１に対する消去であるか否かを判断する。センサメモリ部２１に対する消去である場合（Ｓ３２：ＹＥＳ）には、制御部１０は、処理をＳ３３に移す。他方、センサメモリ部２１に対する消去ではない場合（Ｓ３２：ＮＯ）には、制御部１０は、処理をＳ３４に移す。
Ｓ３３において、制御部１０は、制御端末８からのセンサメモリ部２１の消去を許可する。そうすることで、制御端末８は、カード発行装置１のセンサメモリ部２１に対して直接アクセスして、センサメモリ部２１内のデータを消去、つまり、初期状態（全てのビットを「０」）にすることができる。その後、制御部１０は、本処理を終了する。
【００４１】
Ｓ３４において、制御部１０は、アクセス情報が記憶部２０に有するプログラム領域への書き込みであるか否かを判断する。プログラム領域への書き込みである場合（Ｓ３４：ＹＥＳ）には、制御部１０は、処理をＳ３５に移す。他方、プログラム領域への書き込みではない場合（Ｓ３４：ＮＯ）には、制御部１０は、本処理を終了する。
Ｓ３５において、制御部１０は、制御端末８からの記憶部２０内のプログラム領域への書き込みを許可する。そうすることで、制御端末８は、カード発行装置１のプログラム領域に対して直接アクセスして、カード発行装置１の制御部１０が実行する各処理を行うためのプログラムの更新等を行うことができる。その後、制御部１０は、本処理を終了する。
【００４２】
このように、本実施形態によれば、カード発行システム１００は、以下のような効果がある。
（１）カード発行装置１は、発行動作部４０への電力供給がオフ状態の場合であっても、検出部３０から取得した状態情報を、センサメモリ部２１に記憶させることができる。よって、カード発行装置１は、発行動作部４０への電力供給がされていないときの発行動作部４０の各ユニット等の状態の変化を、検出部３０から状態情報を取得することでセンサメモリ部２１に記憶させることができる。
また、カード発行装置１は、電源スイッチ６０がオフ状態であっても、制御部１０と、タイマ部１５と、記憶部２０と、検出部３０とに対して常時電力供給するハードウェア構成にすることで、検出部３０から状態情報を取得することができる。例えば、既存のカード発行装置１であっても、ＵＰＳ（Ｕｎｉｎｔｅｒｒｕｐｔｉｂｌｅ  Ｐｏｗｅｒ  Ｓｕｐｐｌｙ）の導入等の大掛かりな装置の改変を必要とせず、安価に実現できる。よって、既存のカード発行装置１への導入が容易である。
【００４３】
（２）カード発行装置１は、電源スイッチ６０がオフ状態からオン状態に変わった場合に、センサメモリ部２１の状態情報を制御端末８に送信する。よって、制御端末８では、電源スイッチ６０がオフ状態の間の状態情報を取得できる。これにより、制御端末８では、カード発行装置１の内部の状況を、電源スイッチ６０がオン状態になってから得ることができ、電源スイッチ６０がオフ状態の間のオペレータの操作に起因するカード発行装置１の故障等の不具合の原因を突き止めることができる。
また、カード発行装置１は、電源スイッチ６０がオフ状態の場合には、制御端末８への送出を行わない。よって、カード発行装置１の通信機能を起動させておく必要がなく、省電力である。
【００４４】
（３）カード発行装置１は、状態情報を履歴としてセンサメモリ部２１に記憶するので、カード発行装置１の内部の状況を、時系列に記憶させることができる。また、状態情報を経過時間に対応付けて記憶するので、電源スイッチ６０がオフ状態になってからの経過時間ごとの検出部３０の状態の変化を、管理者等が知ることができる。
（４）また、制御端末８では、カード発行装置１の電源スイッチ６０がオフ状態になってカード発行装置１との通信が可能ではなくなった日時を記憶するので、電源スイッチ６０がオン状態になった後に制御端末８がカード発行装置１から状態情報を受信した際には、状態情報に変化のあった日時を把握できる。
【００４５】
（５）センサメモリ部２１の各領域と、各センサ３１〜３３とが対応するので、どの検出部３０に変化があったかを、センサメモリ部２１の領域から管理者等が把握できる。また、センサメモリ部２１は、１ビットごとに各センサ３１〜３３を対応付けるので、少ないメモリ容量で、検出部３０の変化を記憶させることができる。
（６）カード発行装置１は、カード発行装置１の本体カバーや、各ユニットのカバーに検出部３０を設けることで、カード発行装置１の本体カバーの開閉や、各ユニットのカバーの開閉を検出してセンサメモリ部２１に記憶できる。よって、例えば、オペレータによるカバーの開閉操作の有無を、電源スイッチ６０がオン状態になった後から把握できる。
（７）各ユニットにおいて、カード搬送部４８の方向を向いた検出部３０を、各ユニットの側面側に設けることで、カード発行装置１は、カード５の物体の移動を検出して記憶できる。よって、例えば、オペレータによるカード５の移動操作等、物体の移動を、電源スイッチ６０がオン状態になった後から把握できる。
【００４６】
（８）カード発行装置１は、制御端末８からカード発行装置１の記憶部２０へのアクセスを可能にする。よって、センサメモリ部２１の読取や消去等の記憶部２０へのアクセスを、制御端末８からも行うことができる。
【００４７】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４８】
（変形形態）
（１）本実施形態では、カード発行装置が、計測時間になったことに応じて検出部の状態情報を取得し、記憶するものとして説明したが、これに限定さない。例えば、検出部が変化を検出した場合に、検出部から制御部に対して状態情報を送信することで、センサメモリ部に状態情報を記憶してもよい。
（２）本実施形態では、制御端末と通信が可能な場合には、カード発行装置が、制御端末から状態確認データを受信したことに応じて、状態情報を取得して制御端末に送信するものを説明したが、これに限定されない。例えば、カード発行装置が、制御端末から状態確認データを受信したことに応じて状態情報を取得して一時記憶部に記憶させるまでの処理をし、制御端末が一時記憶部の読取を行ってもよい。
【００４９】
（３）本実施形態では、カード発行装置が、制御端末と通信が可能ではなくなってからの経過時間を、状態情報に対応付けて記憶するものを例に説明したが、これに限定されない。例えば、クロック信号を受け付けた回数を、状態情報に対応付けて記憶してもよい。このようにしても、クロック信号の受付間隔を考慮することで、状態情報を取得した時間の把握が可能である。
（４）本実施形態では、発行動作部には、カードストック部等の各ユニットを備えるものとして説明したが、これに限定されない。例えば、ＮＦＣ（Ｎｅａｒ  Ｆｉｅｌｄ  Ｃｏｍｍｕｎｉｃａｔｉｏｎ）に対する発行処理を行うユニットがあってもよいし、本実施形態で記載したユニットのうちないものがあってもよい。
【符号の説明】
【００５０】
１    カード発行装置
８    制御端末
９    カード発行サーバ
１０  制御部
１５  タイマ部
２０  記憶部
２１  センサメモリ部
３０  検出部
３１，３１ａ〜３１ｉ，３２，３３，３３ａ〜３３ｉ  センサ
４０  発行動作部
４１  カードストック部
４２  リーダライタ部
４３  プリンタ部
４４  ラベラ部
４５  カード回収部
４８  カード搬送部
４９  カード排出口
５０  通信部
６０  電源スイッチ
７０  主電源
７２  ＡＣＤＣコンバータ
８０  制御部
８５  日時取得部
１００  カード発行システム
Ｎ１，Ｎ２  通信ネットワーク
【図１】
0006424707.tif 000002
【図２】
0006424707.tif 000003
【図３】
0006424707.tif 000004
【図４】
0006424707.tif 000005
【図５】
0006424707.tif 000006
【図６】
0006424707.tif 000007